(57)【要約】【課題】削除対象とする画像を選択する手間を低減し、再生時において適度な変化がある映像コンテンツを生成する。【解決手段】ＣＰＵ２１は、撮像部１１により、インターバル撮影時に、１回毎の撮影でインターバル動画の撮影を行うとともに、該インターバル動画を構成する複数のフレームを、顔画像、ブレ、変化の有無に基づいて、静止画保存するフレームを選択し、インターバル動画と対応付けてこれらの静止画も保存する。ＣＰＵ２１は、予め設定した保存時間を超えた容量で記録された場合には、先ず、評価の低いインターバル動画を削除し、それでも足らない場合、評価の低い静止画を削除することで、所望する時間内の画像ファイル（動画と静止画が混在するファイル）を残す。【選択図】図１
2014183511.tif 000002
【特許請求の範囲】
【請求項１】
撮影タイミングを検出する毎に撮像し、所定枚数の画像を取得する取得手段と、
この取得手段によって取得された所定枚数の画像に基づいた動画を生成する動画生成手段と、
前記取得手段によって取得された所定枚数の画像について、所定の評価内容に基づいて夫々評価する評価手段と、
この評価手段によって評価された結果に基づき、静止画を生成する静止画生成手段と、
前記静止画生成手段によって生成された複数の静止画と、前記撮影タイミングに沿って前記動画生成手段によって生成された動画とを含む映像コンテンツを生成する生成手段と
を備えたことを特徴とする撮像装置。
【請求項２】
前記生成手段は、予め設定された容量に収まるように前記映像コンテンツを編集する編集手段を含むことを特徴とする請求項１に記載の撮像装置。
【請求項３】
前記編集手段は、前記評価手段による評価結果に基づいて、前記動画を削除する
ことを特徴とする請求項２に記載の撮像装置。
【請求項４】
前記編集手段は、前記評価手段による評価結果に基づいて、前記静止画を削除する
ことを特徴とする請求項２に記載の撮像装置。
【請求項５】
前記所定の評価内容は、顔画像の検出の有無を含む
ことを特徴とする請求項１から４のいずれかに記載の撮像装置。
【請求項６】
前記所定の評価内容は、顔画像の笑顔の度合を含む
ことを特徴とする請求項１から５のいずれかに記載の撮像装置。
【請求項７】
前記所定の評価内容は、複数の画像間の変化の度合を含む
ことを特徴とする請求項１から６のいずれかに記載の撮像装置。
【請求項８】
前記所定の評価内容は、複数の画像の内容についての評価を含む
ことを特徴とする請求項１から７のいずれかに記載の撮像装置。
【請求項９】
前記所定の評価内容は、撮影タイミング時に取得した周囲環境の内容を含む
ことを特徴とする請求項１から８のいずれかに記載の撮像装置。
【請求項１０】
コンピュータを、
撮影タイミングを検出する毎に撮像し、所定枚数の画像を取得する取得手段、
この取得手段によって取得された所定枚数の画像に基づいた動画を生成する動画生成手段、
前記取得手段によって取得された所定枚数の画像について、所定の評価内容に基づいて夫々評価する評価手段、
この評価手段によって評価された結果に基づき、静止画を生成する静止画生成手段、
前記静止画生成手段によって生成された複数の静止画と、前記撮影タイミングに沿って前記動画生成手段によって生成された動画とを含む映像コンテンツを生成する生成手段
として機能させることを特徴とするプログラム。
【発明の詳細な説明】
【技術分野】
【０００１】
本発明は、撮像装置、及びプログラムに関する。
【背景技術】
【０００２】
従来より、インターバル撮影機能を有する撮像装置が存在する。このような撮像装置においては、シャッターボタンを押すこと無く、一定の時間間隔で自動的に撮影する。このため、撮影者は、全て撮影した後、記録画像の確認の段階で、失敗画像（ぶれていたり、水平でなかったりする画像）があることに気づくことが多い。そして、失敗画像が存在した場合、その画像を削除してしまうと、時間的な連続性が失われてしまうことがあるため、極力、失敗画像を取得しないようにする技術が提案されている。
【０００３】
例えば、特許文献１には、インターバル撮影された複数の静止画から動画ファイルを生成する技術が提案されており、更には、ユーザ操作により削除対象とされた静止画については動画ファイルに含めないことが開示されている。
【先行技術文献】
【特許文献】
【０００４】
【特許文献１】特開２００３−２４４６１４号公報
【発明の概要】
【発明が解決しようとする課題】
【０００５】
しかしながら、上述した従来技術においては、長時間に渡りインターバル撮影された大量の画像において、その中で削除対象とする画像を選択することは非常に面倒な作業が伴い、変化の少ない動画が生成されてしまう可能性が高いという問題があった。
【０００６】
そこで本発明は、削除対象とする画像を選択する手間を低減し、再生時において適度な変化がある映像コンテンツを生成することができる撮像装置、及びプログラムを提供することを目的とする。
【課題を解決するための手段】
【０００７】
この発明は、撮影タイミングを検出する毎に撮像し、所定枚数の画像を取得する取得手段と、この取得手段によって取得された所定枚数の画像に基づいた動画を生成する動画生成手段と、前記取得手段によって取得された所定枚数の画像について、所定の評価内容に基づいて夫々評価する評価手段と、この評価手段によって評価された結果に基づき、静止画を生成する静止画生成手段と、前記静止画生成手段によって生成された複数の静止画と、前記撮影タイミングに沿って前記動画生成手段によって生成された動画とを含む映像コンテンツを生成する生成手段とを備えたことを特徴とする撮像装置である。
【０００８】
この発明は、コンピュータを、撮影タイミングを検出する毎に撮像し、所定枚数の画像を取得する取得手段、この取得手段によって取得された所定枚数の画像に基づいた動画を生成する動画生成手段、前記取得手段によって取得された所定枚数の画像について、所定の評価内容に基づいて夫々評価する評価手段、この評価手段によって評価された結果に基づき、静止画を生成する静止画生成手段、前記静止画生成手段によって生成された複数の静止画と、前記撮影タイミングに沿って前記動画生成手段によって生成された動画とを含む映像コンテンツを生成する生成手段として機能させることを特徴とするプログラムである。
【発明の効果】
【０００９】
この発明によれば、削除対象とする画像を選択する手間を低減し、再生時において適度な変化がある映像コンテンツを生成することができるという利点が得られる。
【図面の簡単な説明】
【００１０】
【図１】本発明の実施形態による撮像装置１の構成を示すブロック図である。
【図２】本実施形態の撮像装置１によるインターバル撮影時の動作を説明するためのフローチャートである。
【図３】本実施形態の撮像装置１によるインターバル撮影時の動作を説明するためのフローチャートである。
【図４】本実施形態の撮像装置１によるインターバル撮影時の動作を説明するためのタイムチャートである。
【図５】本実施形態の撮像装置１によるインターバル撮影時の動作を説明するためのタイムチャートである。
【発明を実施するための形態】
【００１１】
以下、本発明の実施の形態を、図面を参照して説明する。
【００１２】
Ａ．実施形態の構成
図１は、本発明の実施形態による撮像装置１の構成を示すブロック図である。図において、撮像装置１は、通信制御部１０、撮像部１１、画像処理部１４、加速度センサ１７、外部メモリ１８、フラッシュメモリ１９、ＳＤＲＡＭ２０、ＣＰＵ２１、キー操作部２２、音声制御部２３、スピーカ２４、マイク２５、電源（バッテリ）２６、及び電源制御部２７を備えている。
【００１３】
通信制御部１０は、撮像された画像データを、インターネット上のサーバや、インターネットを介して個人のパーソナルコンピュータなどの情報処理装置などに転送する。撮像部１１は、光学レンズ群からなるレンズブロック１２と、ＣＣＤや、ＣＭＯＳなどの撮像素子１３とを備えている。撮像素子１３は、レンズブロック１２から入った画像をデジタル信号に変換する。画像処理回路１４は、画像データに対して、画像処理（画素補間処理、γ補正、輝度色差信号の生成、ホワイトバランス処理、露出補正処理等）、画像データの圧縮・伸張（例えば、ＪＰＥＧ形式やＭｏｔｉｏｎ−ＪＰＥＧ形式又はＭＰＥＧ形式の圧縮・伸張）を実行する。
【００１４】
加速度センサ１７は、例えば、３軸加速度センサなどからなり、特に、本実施形態では、インターバル撮影時の当該撮像装置１の動き（揺れ）を検出する。外部メモリ１８は、着脱可能な記録媒体であり、撮像部１１によって撮像された画像データなどを保存する。フラッシュメモリ１９は、撮像部１１によって撮像された画像データなどを保存しておく記録媒体である。ＳＤＲＡＭ２０は、撮像部１１によって撮像された後、ＣＰＵ２１に送られてきた画像データを一時記憶するバッファメモリとして使用されるとともに、ＣＰＵ２１のワーキングメモリとして使用される。
【００１５】
ＣＰＵ２１は、撮像装置１の各部を制御するワンチップマイコンであり、撮像部１１による静止画撮影、動画の録画開始／停止、静止画撮影と動画撮影の切り替えなどを行う。特に、本実施形態では、ＣＰＵ２１は、インターバル撮影時に、１回毎の撮影でインターバル動画の撮影を行うとともに、該インターバル動画を構成する複数のフレームを、顔画像、ブレ、変化の有無に基づいて、静止画保存するフレームを選択し、インターバル動画と対応付けてこれらの静止画も保存する。ＣＰＵ２１は、予め設定した保存時間を超えた容量で記録された場合には、先ず、評価の低いインターバル動画を削除し、それでも足らない場合、評価の低い静止画を削除することで、所望する時間内の画像ファイル（動画と静止画が混在するファイル）を残す処理を実行する。なお、このようにして生成された画像ファイル（動画と静止画が混在するファイル）は、その撮影順序に従って動画はそのまま、静止画群はスライドショーのような再生を行う。
【００１６】
キー操作部２２は、ユーザのタッチ操作に応じて、動作モードや、撮影開始、一時停止、停止などの動作指示などを入力する。音声制御部２３は、ＣＰＵ１３の制御に従って、撮像動画再生時の音声（報知音等）をアナログ信号に変換し、スピーカ２４から出力する一方、インターバル撮像時にマイク２５によって集音した環境音をデジタル化して取り込む。電源（バッテリ）２６は、充電式の二次電池である。電源制御部２７は、電源（バッテリ）２６の出力電圧を安定化し、各部に駆動用電力を供給する。
【００１７】
Ｂ．実施形態の動作
次に、本実施形態の動作について説明する。
図２は、本実施形態の撮像装置１によるインターバル撮影時の動作を説明するためのフローチャートである。ユーザが撮像装置１のキー操作部２２を操作してインターバルモードにすると、撮像装置１のＣＰＵ２１は、インターバルタイマを起動し、図２に示すフローチャートを実行する。インターバルタイマは、インターバル撮影するための時間間隔を計時するためのタイマである。また、インターバルモードでは、基本的に、インターバル撮影するまでは、省電力のため、撮像素子１３の駆動等を停止する。
【００１８】
ＣＰＵ２１は、まず、予め規定された、インターバル撮影の撮影開始タイミングに達したか否かを判断する（ステップＳ１０）。そして、撮影開始タイミングに達するまでは（ステップＳ１０でＮＯ）、ステップＳ１０を繰り返すことで待機する。一方、撮影開始タイミングに達すると（ステップＳ１０でＹＥＳ）、ＣＰＵ２１は、撮像素子１３を起動し、動画一時記録処理を実行する（ステップＳ１２）。次に、撮影終了タイミングに達したか否かを判断し（ステップＳ１４）、撮影終了タイミングでない（すなわち、所定の録画時間経過していない）場合には（ステップＳ１４でＮＯ）、ステップＳ１２に戻り、動画一時記録処理を継続する。
【００１９】
一方、撮影終了タイミングに達した場合には（ステップＳ１４でＹＥＳ）、ＣＰＵ２１は、動画一時記録を停止し、撮像素子１３を停止する（ステップＳ１６）。この時点で、所定の録画時間のインターバル動画が記録される。次に、カウントを１つインクリメントし（ステップＳ１８）、ＣＰＵ２１は、該カウント数が総フレーム数に達していないか否かを判断する（ステップＳ２０）。ここで、総フレーム数とは、１回の動画撮影で撮影可能なインターバル動画の総フレーム数である。そして、カウント数が総フレーム数に達していない場合には（ステップＳ２０でＮＯ）、ＣＰＵ２１は、動画一時記録処理で撮影したインターバル動画の処理対象フレームから顔画像が検出されたか否かを判断する（ステップＳ２２）。
【００２０】
そして、処理対象フレームから顔画像が検出された場合には（ステップＳ２２でＹＥＳ）、ＣＰＵ２１は、フレーム毎に、顔画像の有、顔画像の検出位置、顔画像の大きさ、顔画像の数に応じて点数化する（ステップＳ２４）。次に、ＣＰＵ２１は、笑顔が検出されたか否かを判断する（ステップＳ２６）。そして、処理対象フレームから笑顔が検出された場合には（ステップＳ２６でＹＥＳ）、ＣＰＵ２１は、フレーム毎に、笑顔の度合いに応じて点数化する（ステップＳ２８）。
【００２１】
一方、処理対象フレームから顔画像が検出されない場合（ステップＳ２２でＮＯ）には、顔検出による点数化は行わない。また、顔画像が検出されたが、笑顔でない場合には（ステップＳ２６でＮＯ）、顔画像による点数化は行うが、笑顔による点数化は行わない。点数化された場合も、点数化がされない場合も、次に、ＣＰＵ２１は、処理対象フレームから前後のフレームと比較し、Ｉフレーム候補（つまり、画像の変化度合の有無）か否かによって点数化する（ステップＳ３０）。次に、ＣＰＵ２１は、処理対象フレームからブレの度合い、鮮鋭度等の画像の内容によって点数化する（ステップＳ３２）。さらに、ＣＰＵ２１は、各フレームの記録時における周囲音の大きさによって点数化する（ステップＳ３４）。そして、ＣＰＵ２１は、点数化された内容をフレームと対応付けて記憶する（ステップＳ３６）。その後、ステップＳ１８に戻り、上述した処理を繰り返すことで、１回の動画撮影で撮影した各フレームに対して点数化していく。
【００２２】
そして、カウント数が総フレーム数に達すると、すなわち１回の動画撮影で撮影した全フレームに対する点数化が終了すると（ステップＳ２０でＹＥＳ）、ＣＰＵ２１は、フレームカウンタをリセット（＝０）する（ステップＳ２８）。次に、ＣＰＵ２１は、各フレームに付けられた点数に応じて、上位の所定数（例えば５フレーム）を別途静止画として生成し（ステップＳ４０）、一時記録したインターバル動画を圧縮符号化し、生成した静止画と対応付けて記憶する（ステップＳ４２）。次に、ＣＰＵ２１は、予め設定された記録日時に達したか否かを判断し（ステップＳ４４）、記録日時に達していない場合には（ステップＳ４４でＮＯ）、図２のステップＳ１０に戻り、上述した処理に従って、次のインターバル動画の撮影を行う。
【００２３】
このように、予め設定された記録日時に達するまで、所定のインターバル間隔で、所定の録画時間からなる動画を撮影し、動画の撮影が終了する度に、１回の動画撮影で撮影した各フレームに対して点数化していく。
【００２４】
そして、予め設定された記録日時に達した場合には（ステップＳ４４でＹＥＳ）、ＣＰＵ２１は、予め設定された容量（もしくは時間）読み出し（ステップＳ４６）、記録時間が予め設定された容量（時間）に収まっているか否かを判断する（ステップＳ４８）。そして、記録時間が予め設定された容量（時間）に収まっていない場合には（ステップＳ４８でＮＯ）、ＣＰＵ２１は、インターバル動画が記録されているか否かを判断する（ステップＳ５０）。そして、インターバル動画が記録されている場合には（ステップＳ５０でＹＥＳ）、ＣＰＵ２１は、インターバル撮影された各インターバル動画について評価する（ステップＳ５２）。
【００２５】
各インターバル動画についての評価としては、フレーム評価と同様に、インターバル動画の各フレームの変化度合、見易さ等で評価してもよいし、各フレームの評価内容（点数）を流用してもよい。次に、ＣＰＵ２１は、評価の低いインターバル動画のみを削除する（ステップＳ５４）。つまり、対応する静止画を残す。その後、ステップＳ４８に戻り、評価の低いインターバル動画を削除していく。そして、評価の低いインターバル動画を削除して行く過程で、記録時間が予め設定された容量（時間）に収まれば（ステップＳ４８でＹＥＳ）、当該処理を終了する。
【００２６】
一方、評価の低いインターバル動画を削除しても、記録時間が予め設定された容量（時間）に収まらなければ（ステップＳ５０でＮＯ）、評価の低かったインターバル動画から優先して、このインターバル動画から生成された各静止画（の点数）を評価する（ステップＳ５６）。そして、評価の低い静止画を削除する（ステップＳ５８）。但し、残り１枚となった場合には、再生時にスキップして円滑な再生とならないので、その静止画を削除しない。このように、削除すべきインターバル動画がなくなった場合には、静止画を削除していく。そして、評価の低い静止画を削除して行く過程で、記録時間が予め設定された容量（時間）に収まれば（ステップＳ４８でＮＯ）、当該処理を終了する。
【００２７】
図４は、本実施形態の撮像装置１によるインターバル撮影動作（ステップＳ２４〜Ｓ４２）を説明するためのタイムチャートである。図４において、最上段には、インターバル撮影間隔ＩＴを示しており、予め定められたインターバル録画時間ＲＴでインターバル動画Ｍ１、Ｍ２、…が撮影されて保存される。インターバル動画Ｍ１は、複数のフレームＦ、Ｆ、…から構成されており、それぞれのフレームに対して評価が行われ、点数化される。
【００２８】
図示の例では、フレーム毎に、顔検出、画像の変化、音の変化、激しい揺れについて評価している。なお、画像の変化は、上述したＩフレーム候補の有無以外にも、コントランスの変化、輝度の変化、色合いの変化などであってもよい。また、（周囲）音の変化は、インターバル動画撮影時にマイク２５で集音した音であり、これにより集音した内容においてユーザが思わず発した音声、感嘆、撮影を意図する言葉、或いは突発的に発生した環境音（衝突音や爆発音等）を示す。これらを伴って発生する事象はシャッターチャンスである可能性が高い為、これらの音声を集音している場合、評価は高くなる。また、激しい揺れは、加速度センサ１７によって検出される当該画像処理装置の揺れの程度である。例えば、インターバル動画Ｍ１の最初のフレームＦは、評価点として、「＋０」、「＋１」、「＋１」、「−２」、合計「＋１」というように点数化される。同様に、それぞれのフレームＦに対して、合計「＋４」、「−５」、「＋１」、「＋３」、…、「−５」、「＋３」、「＋３」、「＋３」というように点数化される。この結果、高得点の５フレームが選択され保存される。このようなフレームに対する点数化が、インターバル撮影が終了するまでに撮影されたインターバル動画全てに対して行われる。この結果、インターバル撮影が終了すると、複数のインターバル動画とそれぞれのインターバル動画から選択した５フレームの静止画とが記録されることになる。
【００２９】
図５は、本実施形態の撮像装置１によるインターバル撮影動作（ステップＳ５０〜Ｓ５８）を説明するためのタイムチャートである。図５において、最上段には、インターバル撮影間隔ＩＴを示しており、予め定められたインターバル録画時間ＲＴでインターバル動画Ｍ１、Ｍ２、…が撮影されて保存される。図５には、各インターバル動画Ｍ１、Ｍ２、…の評価として、それぞれのインターバル動画から選択したフレーム（５フレーム）のうち、合計得点が最も高いフレームの点数を比較し、評価の低いインターバル動画から削除する例を示している。つまり図示の例では、インターバル動画Ｍ３、Ｍ６、Ｍ１、Ｍ４、Ｍ２の順に削除されることになる。そして、評価の低いインターバル動画を削除して行く過程で、記録時間が予め設定された容量（時間）に収まれば、その時点で当該処理を終了する。
【００３０】
なお、このようにして生成された画像ファイル（動画と静止画とが混在するファイル）は、その撮影順序に従って、動画はそのまま、静止画群は、スライドショーのような再生を行う。
【００３１】
上述した実施形態によれば、インターバル撮影時に、１回毎の撮影でインターバル動画の撮影を行うとともに、該インターバル動画を構成する複数のフレームを、顔画像、ブレ、変化の有無に基づいて、静止画保存するフレームを選択し、インターバル動画と対応付けてこれらの静止画も保存し、予め設定した保存時間を超えた容量で記録された場合には、先ず、評価の低いインターバル動画を削除し、それでも足らない場合、評価の低い静止画を削除することで、所望する時間内の画像ファイル（動画と静止画が混在するファイル）を残す処理を実行するようにしたので、削除対象とする画像を選択する手間を低減し、再生時において適度な変化がある動画を生成することができる。
【００３２】
また、上述した実施形態によれば、予め設定された容量に収まるように最終的な画像ファイル（動画と静止画が混在するファイル）を編集するようにしたので、所要工程時間にかかわらず、ユーザが所望する時間内に収めることができる。
【００３３】
また、上述した実施形態によれば、評価結果に基づいて、動画を削除するようにしたので、間延びのした変化のない動画を省き、面白みのある動画を残すことができる。
【００３４】
また、上述した実施形態によれば、評価結果に基づいて、静止画を削除するようにしたので、間延びのした変化のない静止画を省き、面白みのある静止画を残すことができる。
【００３５】
また、上述した実施形態によれば、所定の評価内容として、顔画像の検出の有無を含むようにしたので、間延びのした変化のない静止画を省き、面白みのある静止画を残すことができる。
【００３６】
また、上述した実施形態によれば、所定の評価内容として、顔画像の笑顔の度合を含むようにしたので、間延びのした変化のない静止画を省き、面白みのある静止画を残すことができる。
【００３７】
また、上述した実施形態によれば、所定の評価内容として、複数の画像間の変化の度合を含むようにしたので、間延びのした変化のない静止画を省き、面白みのある静止画を残すことができる。
【００３８】
また、上述した実施形態によれば、所定の評価内容として、複数の画像の内容についての評価を含むようにしたので、間延びのした変化のない静止画を省き、面白みのある静止画を残すことができる。
【００３９】
また、上述した実施形態によれば、所定の評価内容として、撮影タイミング時に取得した周囲環境の内容を含むようにしたので、間延びのした変化のない静止画を省き、面白みのある静止画を残すことができる。
【００４０】
以上、この発明のいくつかの実施形態について説明したが、この発明は、これらに限定されるものではなく、特許請求の範囲に記載された発明とその均等の範囲を含むものである。
以下に、本願出願の特許請求の範囲に記載された発明を付記する。
【００４１】
（付記１）
付記１に記載の発明は、撮影タイミングを検出する毎に撮像し、所定枚数の画像を取得する取得手段と、この取得手段によって取得された所定枚数の画像に基づいた動画を生成する動画生成手段と、前記取得手段によって取得された所定枚数の画像について、所定の評価内容に基づいて夫々評価する評価手段と、この評価手段によって評価された結果に基づき、静止画を生成する静止画生成手段と、前記静止画生成手段によって生成された複数の静止画と、前記撮影タイミングに沿って前記動画生成手段によって生成された動画とを含む映像コンテンツを生成する生成手段とを備えたことを特徴とする撮像装置である。
【００４２】
（付記２）
付記２に記載の発明は、前記生成手段は、予め設定された容量に収まるように前記映像コンテンツを編集する編集手段を含むことを特徴とする付記１に記載の撮像装置である。
【００４３】
（付記３）
付記３に記載の発明は、前記編集手段は、前記評価手段による評価結果に基づいて、前記動画を削除することを特徴とする付記２に記載の撮像装置である。
【００４４】
（付記４）
付記４に記載の発明は、前記編集手段は、前記評価手段による評価結果に基づいて、前記静止画を削除することを特徴とする付記２に記載の撮像装置である。
【００４５】
（付記５）
付記５に記載の発明は、前記所定の評価内容は、顔画像の検出の有無を含むことを特徴とする付記１から４のいずれかに記載の撮像装置である。
【００４６】
（付記６）
付記６に記載の発明は、前記所定の評価内容は、顔画像の笑顔の度合を含むことを特徴とする付記１から５のいずれかに記載の撮像装置である。
【００４７】
（付記７）
付記７に記載の発明は、前記所定の評価内容は、複数の画像間の変化の度合を含むことを特徴とする付記１から６のいずれかに記載の撮像装置である。
【００４８】
（付記８）
付記８に記載の発明は、前記所定の評価内容は、複数の画像の内容についての評価を含むことを特徴とする付記１から７のいずれかに記載の撮像装置である。
【００４９】
（付記９）
付記９に記載の発明は、前記所定の評価内容は、撮影タイミング時に取得した周囲環境の内容を含むことを特徴とする付記１から８のいずれかに記載の撮像装置である。
【００５０】
（付記１０）
付記１０に記載の発明は、コンピュータを、撮影タイミングを検出する毎に撮像し、所定枚数の画像を取得する取得手段、この取得手段によって取得された所定枚数の画像に基づいた動画を生成する動画生成手段、前記取得手段によって取得された所定枚数の画像について、所定の評価内容に基づいて夫々評価する評価手段、この評価手段によって評価された結果に基づき、静止画を生成する静止画生成手段、前記静止画生成手段によって生成された複数の静止画と、前記撮影タイミングに沿って前記動画生成手段によって生成された動画とを含む映像コンテンツを生成する生成手段として機能させることを特徴とするプログラムである。
【符号の説明】
【００５１】
１  撮像装置
１０  通信制御部
１１  撮像部
１２  レンズブロック
１３  撮像素子
１４  画像処理部
１７  加速度センサ
１８  外部メモリ
１９  フラッシュメモリ
２０  ＳＤＲＡＭ
２１  ＣＰＵ
２２  キー操作部
２３  音声制御部
２４  スピーカ
２５  マイク
２６  電源（バッテリ）
２７  電源制御部
【図１】
2014183511.tif 000003
【図２】
2014183511.tif 000004
【図３】
2014183511.tif 000005
【図４】
2014183511.tif 000006
【図５】
2014183511.tif 000007
【手続補正書】
【提出日】平成26年6月4日(2014.6.4)
【手続補正２】
【補正対象書類名】明細書
【補正対象項目名】０００１
【補正方法】変更
【補正の内容】
【０００１】
本発明は、撮像装置、映像コンテンツ生成方法、及び、プログラムに関する。
【手続補正３】
【補正対象書類名】明細書
【補正対象項目名】０００６
【補正方法】変更
【補正の内容】
【０００６】
そこで本発明は、削除対象とする画像を選択する手間を低減し、再生時において適度な変化がある映像コンテンツを生成することができる撮像装置、映像コンテンツ生成方法、及び、プログラムを提供することを目的とする。
【手続補正４】
【補正対象書類名】明細書
【補正対象項目名】０００７
【補正方法】変更
【補正の内容】
【０００７】
この発明は、所定枚数の画像を取得する取得手段と、この取得手段によって取得された所定枚数の画像に基づいた動画を生成する動画生成手段と、前記取得手段によって取得された所定枚数の画像について、所定の評価内容に基づいて夫々評価する評価手段と、この評価手段によって評価された結果に基づき、静止画を生成する静止画生成手段と、前記静止画生成手段によって生成された複数の静止画と、前記動画生成手段によって生成された複数の動画とを含む映像コンテンツを生成する生成手段とを備えたことを特徴とする撮像装置である。
【手続補正５】
【補正対象書類名】明細書
【補正対象項目名】０００８
【補正方法】変更
【補正の内容】
【０００８】
この発明は、所定枚数の画像を取得する取得ステップと、この取得ステップにて取得された所定枚数の画像に基づいた動画を生成する動画生成ステップと、前記取得ステップにて取得された所定枚数の画像について、所定の評価内容に基づいて夫々評価する評価ステップと、この評価ステップにて評価された結果に基づき、静止画を生成する静止画生成ステップと、前記静止画生成ステップにて生成された複数の静止画と、前記動画生成ステップにて生成された複数の動画とを含む映像コンテンツを生成する生成ステップとを含むことを特徴とする映像コンテンツ生成方法である。
この発明は、コンピュータを、所定枚数の画像を取得する取得手段、この取得手段によって取得された所定枚数の画像に基づいた動画を生成する動画生成手段、前記取得手段によって取得された所定枚数の画像について、所定の評価内容に基づいて夫々評価する評価手段、この評価手段によって評価された結果に基づき、静止画を生成する静止画生成手段、前記静止画生成手段によって生成された複数の静止画と、前記動画生成手段によって生成された複数の動画とを含む映像コンテンツを生成する生成手段として機能させることを特徴とするプログラムである。
【手続補正６】
【補正対象書類名】特許請求の範囲
【補正対象項目名】全文
【補正方法】変更
【補正の内容】
【特許請求の範囲】
【請求項１】
所定枚数の画像を取得する取得手段と、
この取得手段によって取得された所定枚数の画像に基づいた動画を生成する動画生成手段と、
前記取得手段によって取得された所定枚数の画像について、所定の評価内容に基づいて夫々評価する評価手段と、
この評価手段によって評価された結果に基づき、静止画を生成する静止画生成手段と、
前記静止画生成手段によって生成された複数の静止画と、前記動画生成手段によって生成された複数の動画とを含む映像コンテンツを生成する生成手段と
を備えたことを特徴とする撮像装置。
【請求項２】
前記生成手段は、予め設定された容量に収まるように前記映像コンテンツを編集する編集手段を含むことを特徴とする請求項１に記載の撮像装置。
【請求項３】
前記編集手段は、前記評価手段による評価結果に基づいて、前記動画を削除することを特徴とする請求項２に記載の撮像装置。
【請求項４】
前記編集手段は、前記評価手段による評価結果に基づいて、前記静止画を削除することを特徴とする請求項２に記載の撮像装置。
【請求項５】
前記所定の評価内容は、顔画像の検出の有無を含むことを特徴とする請求項１から４のいずれかに記載の撮像装置。
【請求項６】
前記所定の評価内容は、顔画像の笑顔の度合を含むことを特徴とする請求項１から５のいずれかに記載の撮像装置。
【請求項７】
前記所定の評価内容は、複数の画像間の変化の度合を含むことを特徴とする請求項１から６のいずれかに記載の撮像装置。
【請求項８】
前記所定の評価内容は、複数の画像の内容についての評価を含むことを特徴とする請求項１から７のいずれかに記載の撮像装置。
【請求項９】
前記所定の評価内容は、撮影タイミング時に取得した周囲環境の内容を含むことを特徴とする請求項１から８のいずれかに記載の撮像装置。
【請求項１０】
前記取得手段は、撮影タイミングを検出する毎に所定枚数の画像を取得する事を特徴とする請求項１から９のいずれかに記載の撮像装置。
【請求項１１】
所定枚数の画像を取得する取得ステップと、
この取得ステップにて取得された所定枚数の画像に基づいた動画を生成する動画生成ステップと、
前記取得ステップにて取得された所定枚数の画像について、所定の評価内容に基づいて夫々評価する評価ステップと、
この評価ステップにて評価された結果に基づき、静止画を生成する静止画生成ステップと、
前記静止画生成ステップにて生成された複数の静止画と、前記動画生成ステップにて生成された複数の動画とを含む映像コンテンツを生成する生成ステップと
を含むことを特徴とする映像コンテンツ生成方法。
【請求項１２】
コンピュータを、
所定枚数の画像を取得する取得手段、
この取得手段によって取得された所定枚数の画像に基づいた動画を生成する動画生成手段、
前記取得手段によって取得された所定枚数の画像について、所定の評価内容に基づいて夫々評価する評価手段、
この評価手段によって評価された結果に基づき、静止画を生成する静止画生成手段、
前記静止画生成手段によって生成された複数の静止画と、前記動画生成手段によって生成された複数の動画とを含む映像コンテンツを生成する生成手段
として機能させることを特徴とするプログラム。